(57)【要約】【課題】コンビニエンスストア等に設置されたカラー複合機等に対しても色再現状態を把握することができる画像形成システム及び画像形成方法を提供する。【解決手段】プリンタ部２０で出力されるべき画像を領域測色部４２で測色し、プリンタ部２０の色再現特性を把握するに足りる色が含まれているか否かを判定する。プリンタ部２０の色再現特性を把握するに足りる色が含まれている場合は、出力物をスキャナ部２２で読み取るように表示する。出力物をスキャナ部２２で読み取ると、出力物の指定領域を検知領域計測部で測色し、この測色された色データと出力されるべき画像の色データとを比較する。【選択図】図２
2006157190.tif 000002
【特許請求の範囲】
【請求項１】
カラー画像を出力するプリント手段と、カラー画像を読み取るスキャナ手段と、前記プリント手段により出力されるべきカラー画像に前記プリント手段の色再現特性を把握するに足りる色が含まれているか否かを判定する判定手段と、この判定手段の判定結果、前記プリント手段の色再現特性を把握するに足りる色が含まれていると判定された場合、前記プリント手段により出力されたカラー画像を前記スキャナ手段で読み取るよう表示する表示手段と、を有する画像形成システム。
【請求項２】
カラー画像を出力するプリント手段と、カラー画像を読み取るスキャナ手段と、このスキャナ手段によりカラー画像を読み取った場合、カラー画像に前記プリント手段の色再現特性を把握するに足りる色が含まれているか否かを判定する判定手段と、この判定手段の判定結果、前記プリント手段の色再現特性を把握するに足りる色が含まれていると判定された場合、前記プリント手段により出力されたカラー画像を前記スキャナ手段で読み取るよう表示する表示手段と、を有する画像形成システム。
【請求項３】
カラー画像を受け付ける受付手段と、この受付手段により受け付けられたカラー画像を出力するプリント手段と、前記受付手段により受け付けられたカラー画像に前記プリント手段の色再現特性を把握するに足りる色が含まれているか否かを判定する判定手段と、この判定手段の判定結果、前記プリント手段の色再現特性を把握するに足りる色が含まれていると判定された場合、前記プリント手段により出力されたカラー画像を前記スキャナ手段で読み取るよう表示する表示手段と、を有する画像形成システム。
【請求項４】
前記判定手段は、カラー画像に検出可能な色が所定色領域分以上あるか否かに基づいて前記プリント手段の色再現特性を把握するに足りる色が含まれているか否かを判定する請求項１乃至３いずれか記載の画像形成システム。
【請求項５】
前記判定手段は、同一の色が所定面積連続することをもって検出可能とする請求項４記載の画像形成システム。
【請求項６】
前記判定手段の判定結果、前記プリント手段の色再現特性を把握するに足りる色が含まれていると判定された場合、検出した色データと検出した座標データとを対で記憶する記憶手段をさらに有する請求項４又は５記載の画像形成システム。
【請求項７】
前記表示手段の表示結果に基づいて前記スキャナ手段でカラー画像が読み取られた場合、この読み取られた色データと前記プリント手段により出力されるべき色データとを比較する比較手段をさらに有する請求項１乃至６いずれか記載の画像形成システム。
【請求項８】
前記プリント手段により出力されるべきカラー画像を前記プリント手段の色空間における色データに変換する第１の色変換手段と、この第１の色変換手段により変換された色データを逆変換する第２の色変換手段とをさらに有し、前記比較手段は、前記第２の色変換手段で変換された色データと前記スキャナ手段により読み取られた色データとを比較する請求項７記載の画像形成システム。
【請求項９】
前記比較手段の比較結果に応じて色調整を実施する色調整実施手段をさらに有する請求項７又は８記載の画像形成システム。
【請求項１０】
前記比較手段の比較結果に応じて色調整時期を判定する色調整時期判定手段をさらに有する請求項７又は８記載の画像形成システム。
【請求項１１】
さらに課金手段を有し、前記表示手段の表示結果に基づいて前記スキャナ手段でカラー画像が読み取られた場合、課金手段による料金を調整する課金調整手段を有する請求項１乃至１０いずれか記載の画像形成システム。
【請求項１２】
カラー画像をプリント手段により出力し、このプリント手段により出力されるべきカラー画像に前記プリント手段の色再現特性を把握するに足りる色が含まれているか否かを判定し、判定結果、前記プリント手段の色再現特性を把握するに足りる色が含まれていると判定された場合、前記プリント手段により出力されたカラー画像をスキャナ手段で読み取るよう表示する画像形成方法。
【請求項１３】
カラー画像を出力プリント手段より出力し、出力されたカラー画像をスキャナ手段により読み取り、読み取られたカラー画像カラー画像に前記プリント手段の色再現特性を把握するに足りる色が含まれているか否かを判定し、判定結果、前記プリント手段の色再現特性を把握するに足りる色が含まれていると判定された場合、前記プリント手段により出力されたカラー画像を前記スキャナ手段で読み取るよう表示する画像形成方法。
【請求項１４】
カラー画像を受け付け、受け付けられたカラー画像にプリント手段の色再現特性を把握するに足りる色が含まれているか否かを判定し、判定結果、前記プリント手段の色再現特性を把握するに足りる色が含まれていると判定された場合、前記プリント手段により出力されたカラー画像をスキャナ手段で読み取るよう表示する画像形成方法。
【発明の詳細な説明】
【技術分野】
【０００１】
本発明は、コンビニエンスストア等に設置された画像形成装置を用いて画像を形成する画像形成システム及び画像形成方法に関する。
【背景技術】
【０００２】
近年コンビニエンスストア等に設置されたコピー/スキャン/プリントが可能なカラー複合機において、コピーのみならずネットワーク経由でのカラープリントアウトを行うサービスが展開され、これを利用する顧客が増加している。また、コピーにおいても従来の白黒中心の出力からカラー原稿や写真などのカラーコピーが増加している。さらにデジタルカメラ等で撮影した画像のプリントサービス等も提供されている。
【０００３】
コピーやプリント出力機は、日々色再現状態が変動している。その色再現を調整する方法（キャリブレーション）として様々なものが提案されている。例えば特許文献１では補正するためのテストパターンをプリントしてカラー複合機のスキャン部で読み込ませて補正をかける方法が提案されている。
【０００４】
【特許文献１】特開平０７−２２２０１３号公報
【発明の開示】
【発明が解決しようとする課題】
【０００５】
しかしながら、コンビニエンスストア等に設置されているカラー複合機などでは店員の手間や能力、また補正するためのプリント１枚を出力するための費用が発生することから頻繁にキャリブレーション作業を行うことが困難であった。また不特定多数の顧客が使用するため出力の状態を見ながらメンテナンスの必要時期を管理することも困難であった。
従って、プリントやコピーをした際の出力物の色再現は本来狙いの色再現とは異なっていることが多く、またプリント・コピーを行う顧客も出力物の品質が確認されないままサービスの提供をうけているという問題があった。
【０００６】
本発明の目的は、コンビニエンスストア等に設置されたカラー複合機等に対しても色再現状態を把握することができる画像形成システム及び画像形成方法を提供することにある。
【課題を解決するための手段】
【０００７】
本発明の第１の特徴とするところは、カラー画像を出力するプリント手段と、カラー画像を読み取るスキャナ手段と、前記プリント手段により出力されるべきカラー画像に前記プリント手段の色再現特性を把握するに足りる色が含まれているか否かを判定する判定手段と、この判定手段の判定結果、前記プリント手段の色再現特性を把握するに足りる色が含まれていると判定された場合、前記プリント手段により出力されたカラー画像を前記スキャナ手段で読み取るよう表示する表示手段と、を有する画像形成システムにある。したがって、表示手段の表示に従ってプリント手段により出力されたカラー画像をスキャナ手段により読み取ることでプリント手段の色再現状態を把握することができる。
【０００８】
本発明の第２の特徴とするところは、カラー画像を出力するプリント手段と、カラー画像を読み取るスキャナ手段と、このスキャナ手段によりカラー画像を読み取った場合、カラー画像に前記プリント手段の色再現特性を把握するに足りる色が含まれているか否かを判定する判定手段と、この判定手段の判定結果、前記プリント手段の色再現特性を把握するに足りる色が含まれていると判定された場合、前記プリント手段により出力されたカラー画像を前記スキャナ手段で読み取るよう表示する表示手段と、を有する画像形成システムにある。したがって、原稿をコピーした場合には、表示手段の表示に従ってプリント手段により出力されたカラー画像を再度スキャナ手段により読み取ることでプリント手段の色再現状態を把握することができる。
【０００９】
本発明の第３の特徴とするところは、カラー画像を受け付ける受付手段と、この受付手段により受け付けられたカラー画像を出力するプリント手段と、前記受付手段により受け付けられたカラー画像に前記プリント手段の色再現特性を把握するに足りる色が含まれているか否かを判定する判定手段と、この判定手段の判定結果、前記プリント手段の色再現特性を把握するに足りる色が含まれていると判定された場合、前記プリント手段により出力されたカラー画像を前記スキャナ手段で読み取るよう表示する表示手段と、を有する画像形成システムにある。したがって、カラー画像を受け付けた場合には、表示手段の表示に従ってプリント手段により出力されたカラー画像をスキャナ手段により読み取ることでプリント手段の色再現状態を把握することができる。
【００１０】
好ましくは、前記判定手段は、カラー画像に検出可能な色が所定色領域分以上あるか否かに基づいて前記プリント手段の色再現特性を把握するに足りる色が含まれているか否かを判定する。さらに好ましくは、前記判定手段は、同一の色が所定面積連続することをもって検出可能とする。さらに好ましくは、前記判定手段の判定結果、前記プリント手段の色再現特性を把握するに足りる色が含まれていると判定された場合、検出した色データと検出した座標データとを対で記憶する記憶手段をさらに有する。
【００１１】
また、好ましくは、前記表示手段の表示結果に基づいて前記スキャナ手段でカラー画像が読み取られた場合、この読み取られた色データと前記プリント手段により出力されるべき色データとを比較する比較手段をさらに有する。さらに好ましくは、前記プリント手段により出力されるべきカラー画像を前記プリント手段の色空間における色データに変換する第１の色変換手段と、この第１の色変換手段により変換された色データを逆変換する第２の色変換手段とをさらに有し、前記比較手段は、前記第２の色変換手段で変換された色データと前記スキャナ手段により読み取られた色データとを比較する。
【００１２】
また、前記比較手段の比較結果に応じて色調整を実施する色調整実施手段をさらに有するようにしてもよいし、前記比較手段の比較結果に応じて色調整時期を判定する色調整時期判定手段をさらに有するようにしてもよい。好ましくは、さらに課金手段を有し、前記表示手段の表示結果に基づいて前記スキャナ手段でカラー画像が読み取られた場合、課金手段による料金を調整する課金調整手段を有する。
【００１３】
本発明の第４の特徴とするところは、カラー画像をプリント手段により出力し、このプリント手段により出力されるべきカラー画像に前記プリント手段の色再現特性を把握するに足りる色が含まれているか否かを判定し、判定結果、前記プリント手段の色再現特性を把握するに足りる色が含まれていると判定された場合、前記プリント手段により出力されたカラー画像をスキャナ手段で読み取るよう表示する画像形成方法にある。
【００１４】
本発明の第５の特徴とするところは、カラー画像を出力プリント手段より出力し、出力されたカラー画像をスキャナ手段により読み取り、読み取られたカラー画像カラー画像に前記プリント手段の色再現特性を把握するに足りる色が含まれているか否かを判定し、判定結果、前記プリント手段の色再現特性を把握するに足りる色が含まれていると判定された場合、前記プリント手段により出力されたカラー画像を前記スキャナ手段で読み取るよう表示する画像形成方法にある。
【００１５】
本発明の第６の特徴とするところは、カラー画像を受け付け、受け付けられたカラー画像にプリント手段の色再現特性を把握するに足りる色が含まれているか否かを判定し、判定結果、前記プリント手段の色再現特性を把握するに足りる色が含まれていると判定された場合、前記プリント手段により出力されたカラー画像をスキャナ手段で読み取るよう表示する画像形成方法にある。
【発明の効果】
【００１６】
本発明によれば、コンビニエンスストア等に設置されているカラー複合機等において、コピーやプリントをした場合、プリント手段により出力されるべきカラー画像にプリント手段の色再現特性を把握するに足りる色が含まれているか否かを判定し、判定の結果、プリント手段の色再現特性を把握するに足りる色が含まれていると判定された場合には、出力されたカラー画像をスキャナ手段により読み取るよう表示するようにしたので、この表示に従ってカラー画像をスキャナ手段により読み取ることでプリント手段の色再現状態を把握することができる。
【発明を実施するための最良の形態】
【００１７】
次に本発明の実施形態について説明する。
図１において、本発明の実施形態に係る画像形成システム１０の概要が示されている。画像形成システム１０は、画像形成装置である例えばカラー複合機１２を有し、このカラー複合機１２にコインキット等と呼ばれる課金装置１４が接続されている。このカラー複合機１２は、例えばコンビニエンスストア等、多数の店舗に設置されている。
【００１８】
カラー複合機１２は、コントロールパネル１８と、プリント手段を構成するプリンタ部２０と、スキャナ手段を構成するスキャナ部２２とを有する。コントロールパネル１８は、例えばタッチ式であり、表示部と入力部とを兼ねている。プリンタ部２０は、例えばカラーゼログラフィーエンジンを有し、スキャナ部２２でスキャンされたカラー画像、或いは通信手段を介して送信されたカラー画像を用紙に出力する。このカラー複合機１２には、デジタルカメラに接続可能であり、デジタルカメラで撮影した画像を出力することができる。また、カラー複合機１２は、ＬＡＮ、インターネット等の通信回線２４を介してプリントサーバ２８に接続されている。プリントサーバ２８は、さらにＬＡＮ、インターネット等の通信回線２４を介して顧客のパーソナルコンピュータ（ＰＣ）３０に接続されている。
【００１９】
顧客がコピーしたい場合は、顧客がプリント枚数、プリント用紙サイズ等をコントロールパネル１８から入力し、コントロールパネル１８に表示された代金を課金装置１４に投入し、スキャナ部２２に原稿をセットし、図示しないスタートボタンを押す。カラー複合機１２は、スキャナ部２２により原稿を読み取り、プリンタ部２０から原稿に対応した画像を出力する。一方、顧客が自分のパーソナルコンピュータ３０で作成した画像データを出力したい場合は、その画像データをプリントサーバ２８にアップロードする。アップロードした際に、アップロードしたデータに対応したコードが付与される。顧客は、課金装置１４に代金を投入し、交付された画像データに対応したコードをコントロールパネル１８等から入力する。カラー複合機１２は、入力されたコードに対応した画像データをプリントサーバ２８からダウンロードし、プリンタ部２０から出力する。
上記のように、コピー又はプリント出力物が図１では拡大して示されている。
【００２０】
図２において、カラー複合機１２の画像処理部のハードウエア構成が示されている。カラー複合機１２は、スキャナ部２２により読み取ったＲ，Ｇ，Ｂ（ｄＲＧＢ：デバイスディペンデントＲＧＢ）信号を入力階調補正部３２に入力して階調補正し、前段色変換部３４によりＬ*，ａ*，ｂ*信号に変換する。Ｌ*，ａ*，ｂ*は、国際照明委員会（ＣＩＥ）が規定したデバイスインディペンデントな表色系である。この前段色変換部３４により変換されたＬ*，ａ*，ｂ*信号は、後段色変換部３６によりＹ，Ｍ，Ｃ，Ｋ信号に変換され、このＹ，Ｍ，Ｃ，Ｋ信号に基づいてプリンタ部２０で用紙に画像が出力される。
【００２１】
一方、前述したプリントサーバ２８からダウンロードされた画像データは、受付部３８に受け付けられる。受付部３８に受け付けられた画像データは、制御部４０により処理され、画像データがＲＧＢ（ｓＲＧＢを含む）であれば前段色変換部３４に送られ、この前段色変換部３４によりＬ*，ａ*，ｂ*信号に変換され、後段色変換部３６によりＹ，Ｍ，Ｃ，Ｋ信号に変換され、このＹ，Ｍ，Ｃ，Ｋ信号に基づいてプリンタ部２０で用紙に画像が出力される。
【００２２】
領域測色部４２は、コピーする場合、スキャナ部２２により読み取った原稿の色計測データと座標データを得るためのものである。この領域測色部４２は、図３に示すように、前段色変換部３４によりＬ*，ａ*，ｂ*に変換された色データが入力される同一色検出部４４と、制御部４０によりページ同期信号、ライン同期信号及び画素同期信号が与えられる座標検出部４６とを有する。座標検出部４６は、ページ同期信号、ライン同期信号及び画素同期信号をカウントしてページ内の画素の座標を検出する。同一色検出部４４は、同一色が連続した所定領域、例えばｎ×ｍ画素領域があるか否かを判定し、同一色が連続した所定領域がある場合には、検出可能と判定し、その同一色を色計測データとして制御部４０に出力する。座標検出部４６は、検出可能と判断された所定領域の座標データを制御部４０に出力する。制御部４０は、色計測データと座標データとを対として記憶部４８に記憶させる。
このように、領域測色部４２において、所定領域の色を測色するのは、スキャンした際の読取り位置ずれやプリントした際のムラ等を除去するためである。
なお、検出可能と判定された領域の測色データ（Ｌ*，ａ*，ｂ*）は、そのままの値を原稿の測色値としては使用せず、ＹＭＣＫに変換して記憶部４８に記憶され、さらに逆変換処理を行い、この逆変換された色データと出力物をスキャナ部２２で読み取った色データとが比較される。
また、プリントの場合は、制御部４０において、受付部３８で受け付けられた画像データを展開し、この展開されたデータから同一色が所定領域あるか否かを判定し、色データと座標データとを作成し、該色データと座標データとを対として記憶部４８に記憶させる。
【００２３】
即ち、図５に示すように、原稿の画像データに同一色が所定領域ある領域を検知可能領域１、２、・・とし、それぞれの領域の色データ（Ｌ*，ａ*，ｂ*）と座標データ（ｘ，ｙ）とを対で記憶部４８に記憶させる。
【００２４】
検知領域計測部５０は、プリンタ部２２から出力された出力物をスキャナ部２４により読み取らせ、指定領域の色を計測するためのものである。この検知領域計測部５０は、指定領域計測部５２と、座標検出部５４とを有する。座標検出部５４は、ページ同期信号、ライン同期信号及び画素同期信号をカウントしてページ内の画素の座標を検出し、指定領域であることを指定領域計測部５２に通知する。指定領域計測部５２は、指定領域の測色を行い、例えば指定領域の画素値の平均を色計測データとして制御部４０に渡す。
【００２５】
制御部４０は、図５に示すように、記憶部４０から読み出した色計測データ（ＹＭＣＫ）をＬ´*，ａ´*，ｂ´*に逆変換する逆変換部５６を有する。このように逆変換部５６により逆変換するのは、ＹＭＣＫ空間の色域がＲＧＢ又はｓＲＧＢと比較して狭いので、スキャナ部２２で読み取ったＲＧＢ或いは受付部３８で受け付けたｓＲＧＢが後段色変換部３６ではガミュート圧縮され、このガミュート圧縮された分を補正するためである。また、制御部４０は、比較部５８を有しており、この比較部５８は、逆変換部５６で逆変換された色データ（Ｌ´*，ａ´*，ｂ´*）と検知領域計測部５０で検出された色データ（Ｌ*，ａ*，ｂ*）とを比較する。
【００２６】
図７において、コピーをする場合の制御フローが示されている。
まず、ステップ１０（Ｓ１０）において、コピー時にスキャナ部２２にセットされた原稿を読み取り、原稿の色を計測する。次のステップ１２（Ｓ１２）においては、計測した原稿に検出可能な領域があるか否かを判定する。このステップ１２において、検出可能な領域があると判定された場合はステップ１４（Ｓ１４）に進み、検出可能領域の色データを保持し、次のステップ１６（Ｓ１６）に進む。ただし、判定に必要な所定の色領域に合致した場合のみ色データが保持される。一方、ステップ１２において、検出可能な領域がないと判定された場合は、ステップ１６に進む。ステップ１６においては、原稿が他にあるか否かを判定する。このステップ１６において、原稿が他にあると判定された場合は、ステップ１０に戻り、他の原稿を読み取り、原稿の色を計測し、次のステップ１２及びステップ１４の処理を実行する。ステップ１６において、原稿が他にないと判定された場合は、次のステップ１８（Ｓ１８）に進み、検出可能な領域が所定の色領域分あるか否かを判定する。所定の色領域分とは、プリンタ部の色再現特性を把握するに足りる色領域分であり、求める精度等に応じて予め設定されている。ステップ１８において、検出可能な領域が所定の色領域分あると判定された場合は、ステップ２０（Ｓ２０）に進み、コントロールパネル等に出力物をスキャナ部にセットし、出力物の読取り実行を促す表示をし、処理を終了する。ステップ１８において、検出可能な領域が所定の色領域分ないと判定された場合は処理を終了する。
【００２７】
図８において、コピーされた出力物をスキャナ部で読み取る場合の制御フローが示されている。
前述した読取り実行を促す表示に従ってコピーされた出力物がスキャナ部にセットされると、ステップ２２（Ｓ２２）において、コピー出力物をスキャナ部で読み取る。次のステップ２４（Ｓ２４）においては、領域測色部で検出した座標領域を検知領域計測部で測色する。次のステップ２６（Ｓ２６）においては、検知領域計測部で検出した色データ（逆変換された色データ）とコピー出力物のそれに対応する領域の色データとを比較部で比較する。次のステップ２８（Ｓ２８）においては、ステップ２６で比較した比較結果に基づいて色調整を実施する。色調整は、プリンタ部のプロファイルを書き換えることにより行ってもよいし、プリンタ部の補正機能を用いて実施してもよい。プリンタ部における補正は、例えばプリンタ部がゼログラフィ方式のものであれば、感光体に形成した静電パッチを読み取り、現像バイアス、露光量、トナー供給量等を制御して画質が目標値となるようプロセスコントロールを実施することにより行われる。次のステップ３０（Ｓ３０）においては色調整の実施状況をコントロールパネルに表示し、あるいは管理サーバに通知する。そして、次のステップ３２（Ｓ３２）においては、課金装置による課金料金を調整し、処理を終了する。この場合の課金料金は、顧客がカラー複合機を用いてコピーした代金から一定額を差し引く等、顧客によるスキャン実施を促すように調整する。
【００２８】
図９において、プリントをする場合の制御フローが示されている。
まず、ステップ３４（Ｓ３４）において、受付部に受け付けられた画像データを制御部で展開し、画像を計測する。次のステップ３６（Ｓ３６）においては、計測した画像に検出可能な領域があるか否かを判定する。このステップ３６において、検出可能な領域があると判定された場合はステップ３８（Ｓ３８）に進み、検出可能領域の色データを保持し、次のステップ４０（Ｓ４０）に進む。ただし、判定に必要な所定の色領域に合致した場合のみ色データが保持される。一方、ステップ３６において、検出可能な領域がないと判定された場合は、ステップ４０に進む。ステップ４０においては、出力ページが他にあるか否かを判定する。このステップ４０において、出力ページが他にあると判定された場合は、ステップ１０に戻り、他の出力ページを展開し、画像の色を計測し、次のステップ３６及びステップ３８の処理を実行する。ステップ４０において、出力ページが他にないと判定された場合は、次のステップ４２（Ｓ４２）に進み、検出可能な領域が所定の色領域分あるか否かを判定する。ステップ４２において、検出可能な領域が所定の色領域分あると判定された場合は、ステップ４４（Ｓ４４）に進み、コントロールパネル等に出力物をスキャナ部にセットし、出力物の読取り実行を促す表示をし、処理を終了する。ステップ４４において、検出可能な領域が所定の色領域分ないと判定された場合は処理を終了する。
【００２９】
図１０において、プリントされた出力物をスキャナ部で読み取る場合の制御フローが示されている。
前述した読取り実行を促す表示に従ってプリントされた出力物がスキャナ部にセットされると、ステップ４６（Ｓ４６）において、プリント出力物をスキャナ部で読み取る。次のステップ４８（Ｓ４８）においては、制御部で検出した座標領域を検知領域計測部で測色する。次のステップ５０（Ｓ５０）においては、画像データを制御部で展開したときに検出した色データ（逆変換された色データ）とプリント出力物のそれに対応する領域の色データとを比較部で比較する。次のステップ５２（Ｓ５２）においては、ステップ２６で比較した比較結果に基づいて色調整を実施する。色調整は、プリンタ部のプロファイルを書き換えることにより行ってもよいし、プリンタ部の補正機能を用いて実施してもよい。プリンタ部における補正は、前述したように、プロセスコントロールを実施することにより行われる。次のステップ５４（Ｓ５４）においては色調整の実施状況をコントロールパネルに表示し、あるいは管理サーバに通知する。そして、次のステップ５６（Ｓ５６）においては、課金装置による課金料金を調整し、処理を終了する。この場合の課金料金は、顧客がカラー複合機を用いてプリントした代金から一定額を差し引く等、顧客によるスキャン実施を促すように調整する。
【００３０】
図１１において、上記実施形態の変形例が示されている。
この変形例は、コピー又はプリントした出力物をスキャナ部読み取った場合に色調整を実施するのではなく、色調整のメンテナンスが必要となる時期を予測するようにしたものである。即ち、ステップ５８（Ｓ５８）、ステップ６０（Ｓ６０）、ステップ６２（Ｓ６２）、ステップ６６（Ｓ６６）及びステップ６８（Ｓ６８）の処理は、図８に示したステップ２２、ステップ２４、ステップ２８及びステップ３０並びに図１０に示したステップ４６、ステップ４８、ステップ５２及びステップ５４の処理と同様であるが、ステップ６４において、色調整を実施する代わりに比較部での比較結果に応じてメンテナンス必要時期を予測するようにしたものである。メンテナンスの必要時期は、図１２に示すように、（プリント出力測定値−検出された原稿又は画像データの測定値）に対するメンテナンスまでの出力可能枚数を算出する。そして、ステップ７０において、このように予測したメンテナンス時期をコントロールパネルに表示し、あるいは管理サーバに通知する。管理サーバにおいては、予測されたメンテナンス時期情報を集中管理する。
【産業上の利用可能性】
【００３１】
以上述べたように、本発明は、コンビニエンスストア等を利用した画像形成システムにおいて、色再現を保証する必要があるものに用いることができる。
【図面の簡単な説明】
【００３２】
【図１】本発明の実施形態に係る画像形成システムを示す構成図である。
【図２】本発明の実施形態に用いたカラー複合機の画像処理部のハードウエア構成を示すブロック図である。
【図３】本発明の実施形態における領域測色部を示すブロック図である。
【図４】本発明の実施形態における検知領域測色部を示すブロック図である。
【図５】本発明の実施形態における制御部の主要部を示すブロック図である。
【図６】本発明の実施形態におけるコピーの計測部分を示す図である。
【図７】本発明の実施形態において、コピーする場合の制御フローを示すフローチャートである。
【図８】本発明の実施形態において、コピーされた出力物をスキャナ部で読み取る場合の制御フローを示すフローチャートである。
【図９】本発明の実施形態において、プリントする場合の制御フローを示すフローチャートである。
【図１０】本発明の実施形態において、プリントされた出力物をスキャナ部で読み取る場合の制御フローを示すフローチャートである。
【図１１】本発明の変形例において、コピー又はプリントした出力物をスキャナ部で読み取る場合の制御フローを示すフローチャートである。
【図１２】本発明の変形例において、メンテナンススケジュールテーブルを示す図である。
【符号の説明】
【００３３】
１０  画像形成システム
１２  カラー複合機
１４  課金装置
１８  コントロールパネル
２０  プリンタ部
２２  スキャナ部
２８  プリントサーバ
３０  パーソナルコンピュータ
３４  前段色変換部
３６  後段色変換部
３８  受付部
４０  制御部
４２  領域測色部
４８  記憶部
５０  検知領域計測部
【図１】
2006157190.tif 000003
【図２】
2006157190.tif 000004
【図３】
2006157190.tif 000005
【図４】
2006157190.tif 000006
【図５】
2006157190.tif 000007
【図６】
2006157190.tif 000008
【図７】
2006157190.tif 000009
【図８】
2006157190.tif 000010
【図９】
2006157190.tif 000011
【図１０】
2006157190.tif 000012
【図１１】
2006157190.tif 000013
【図１２】
2006157190.tif 000014